(57)【特許請求の範囲】
【請求項１】
複数の副画素を含む画素がマトリクス状に配置された画像表示部と、
前記画像表示部の消費電力を低減するための色変換処理を行う色変換処理部と、
を含み、
前記色変換処理は、前記画像表示部が表示する画像の表示輝度の上昇と共に、前記画像表示部の消費電力の低減量が増加する処理であり、
前記色変換処理部の消費電力は、前記画像表示部が表示する画像の表示輝度の上昇に依らず一定であり、
前記色変換処理部は、前記画像表示部の表示輝度範囲の全域において前記色変換処理を実施した場合における前記画像表示部の消費電力と前記色変換処理部の消費電力との合計消費電力と、前記色変換処理を行わない場合における前記画像表示部の消費電力とが交わる表示輝度に相当する第１輝度設定閾値が設定され、前記第１輝度設定閾値よりも小さい範囲を、前記色変換処理を行わない第１輝度設定範囲とし、所定の輝度設定値が前記第１輝度設定範囲内である場合に、前記色変換処理を行わない、表示装置。
【請求項２】
前記色変換処理部は、前記第１輝度設定閾値よりも大きい第２輝度設定閾値が設定され、前記第１輝度設定閾値以上であり、且つ、前記第２輝度設定閾値以下である範囲を第２輝度設定範囲とし、前記輝度設定値が前記第２輝度設定範囲内である場合に、前記輝度設定値に応じて、前記色変換処理による画質変化の度合いを示す色変換レベルを変更する、請求項１に記載の表示装置。
【請求項３】
前記色変換処理部は、前記第２輝度設定範囲内において、前記輝度設定値の上昇に応じて前記色変換レベルを上昇させる、請求項２に記載の表示装置。
【請求項４】
前記色変換処理部は、前記第２輝度設定範囲内において、前記色変換レベルを段階的に変化させる、請求項２又は３に記載の表示装置。
【請求項５】
前記色変換処理部は、前記第１輝度設定閾値よりも大きい第２輝度設定閾値が設定され、前記第１輝度設定閾値以上であり、且つ、前記第２輝度設定閾値以下である範囲を第２輝度設定範囲とし、前記輝度設定値が前記第２輝度設定範囲内である場合に、前記輝度設定値に応じて、時分割で前記色変換処理を行う、請求項１に記載の表示装置。
【請求項６】
前記色変換処理部は、前記第２輝度設定範囲内において、時分割で前記色変換処理を行う際に、フレーム単位で前記色変換処理を行う、請求項５に記載の表示装置。
【請求項７】
前記色変換処理部は、前記第２輝度設定範囲内において、前記画像表示部の消費電力と前記色変換処理部の消費電力との合計消費電力が、前記色変換処理を行わない場合における前記画像表示部の消費電力を超えないようなフレーム比率で、前記色変換処理を行う、請求項６に記載の表示装置。
【請求項８】
前記色変換処理部は、前記第２輝度設定範囲内において、前記画像表示部における水平ライン毎、あるいは前記画素毎に、前記色変換処理のタイミングをずらす、請求項６又は請求項７に記載の表示装置。
【請求項９】
前記色変換処理部は、前記第２輝度設定範囲内において、色相に応じた所定の色相変化量で、前記色変換処理を行う、請求項２乃至８の何れか一項に記載の表示装置。
【請求項１０】
前記色変換処理部は、前記第２輝度設定範囲内において、色相に応じた所定の彩度減衰量で、前記色変換処理を行う、請求項２乃至８の何れか一項に記載の表示装置。
【請求項１１】
複数の副画素を含む画素がマトリクス状に配置された画像表示部の駆動回路へ供給する入力信号に対し、前記画像表示部の消費電力を低減するために色変換処理を行う色変換処理部の色変換方法であって、
前記色変換処理は、前記画像表示部が表示する画像の表示輝度の上昇と共に、前記画像表示部の消費電力の低減量が増加する処理であり、
前記色変換処理部の消費電力は、前記画像表示部が表示する画像の表示輝度の上昇に依らず一定であり、
前記色変換処理部は、前記画像表示部の表示輝度範囲の全域において前記色変換処理を実施した場合における前記画像表示部の消費電力と前記色変換処理部の消費電力との合計消費電力と、前記色変換処理を行わない場合における前記画像表示部の消費電力とが交わる表示輝度に相当する第１輝度設定閾値が設定され、前記第１輝度設定閾値よりも小さい範囲を、前記色変換処理を行わない第１輝度設定範囲とし、所定の輝度設定値が前記第１輝度設定範囲内である場合に、前記色変換処理を行わない、色変換方法。
【発明の詳細な説明】
【技術分野】
【０００１】
本発明は、表示装置、及び色変換方法に関する。
【背景技術】
【０００２】
従来から、画素Ｒ（赤）、Ｇ（緑）及びＢ（青）に加え、画素Ｗ（白）を追加したＲＧＢＷ方式の液晶パネルを用いた液晶表示装置が採用されている。このＲＧＢＷ方式の液晶表示装置は、画像表示を決定付けるＲＧＢデータに基づくバックライトからの光の画素Ｒ、Ｇ及びＢにおける透過量を、画素Ｗに振り分けて画像を表示させることによって、バックライトの輝度を低減させることを可能とし、消費電力を低減している。
【０００３】
また液晶表示装置以外にも、有機発光ダイオード（ＯＬＥＤ）のような自発光体を点灯する画像表示パネルが知られている。例えば特許文献１には、４色カラー出力信号に対応する光を放射する発光体を有する表示装置を駆動するために、３色の色域画定原色に対応する３色カラー入力信号（Ｒ，Ｇ，Ｂ）を該色域画定原色と１つの追加原色Ｗとに対応する４色のカラー出力信号（Ｒ’，Ｇ’，Ｂ’，Ｗ）に変換するための方法が記載されている。
【先行技術文献】
【特許文献】
【０００４】
【特許文献１】特表２００７−５１４１８４号公報
【発明の概要】
【発明が解決しようとする課題】
【０００５】
自発光体を点灯する画像表示部を備える表示装置は、バックライトが不要であり、各画素の自発光体の点灯量に応じて、表示装置の電力量が決まってしまう。このため、特許文献１に記載の方法によって単純に変換処理した場合、４色のカラー出力信号（Ｒ’，Ｇ’，Ｂ’，Ｗ）を点灯する自発光体の点灯量が多ければ、消費電力を低減できない場合がある。
【０００６】
そこで、例えば、人間が変化に気づきにくい範囲で、本来の色のもつ色相や彩度を変換する色変換処理を行うことで、画像表示部の消費電力の抑制を図ることが考えられる。一方、室内で表示装置や電子機器を使用する際にユーザが画面を暗くして（輝度設定を下げて）使用した場合、画像表示部の消費電力に対し、色変換処理を行うことによる消費電力が無視できない大きさとなり、色変換処理を行わない場合に比べて表示装置や電子機器全体としての消費電力が大きくなる場合がある。
【０００７】
本発明は、上記に鑑みてなされたものであって、目的を達成するために、画像表示部の消費電力を抑制するための色変換処理を行う構成において、低輝度状態においても消費電力を抑制できる表示装置、及び色変換方法を提供することにある。
【課題を解決するための手段】
【０００８】
本発明の一態様に係る表示装置は、複数の副画素を含む画素がマトリクス状に配置された画像表示部と、前記画像表示部の消費電力を低減するための色変換処理を行う色変換処理部と、を含み、前記色変換処理部は、前記色変換処理を行った場合における前記画像表示部の消費電力と前記色変換処理部の消費電力との合計消費電力が、前記色変換処理を行わない場合における前記画像表示部の消費電力を上回る場合には、前記色変換処理を行わない。
【図面の簡単な説明】
【０００９】
【図１】図１は、本実施形態に係る表示装置の構成の一例を示すブロック図である。
【図２】図２は、本実施形態に係る画像表示部の画素が含む副画素の点灯駆動回路を示す図である。
【図３】図３は、本実施形態に係る画像表示部の副画素の配列を示す図である。
【図４】図４は、本実施形態に係る画像表示部の断面構造を示す図である。
【図５】図５は、本実施形態に係る画像表示部の副画素の他の配列を示す図である。
【図６】図６は、本実施形態の表示装置で再現可能なＨＳＶ色空間の概念図である。
【図７】図７は、ＨＳＶ色空間の色相と彩度との関係を示す概念図である。
【図８】図８は、本実施形態に係るＨＳＶ色空間において色相変換処理を示す概念図である。
【図９】図９は、本実施形態に係る変換前の元の色相と人間が色相変化を許容する範囲の色相変化量との関係を示すルックアップテーブルを説明するための説明図である。
【図１０】図１０は、本実施形態に係る第１の色変換処理例を説明する模式図である。
【図１１】図１１は、本実施形態に係る第１の色変換方法を説明するためのフローチャートである。
【図１２】図１２は、本実施形態に係る第１の色変換処理例を説明する模式図である。
【図１３】図１３は、本実施形態に係る色相と、人間が彩度変化を許容する範囲の彩度減衰量との関係を示すルックアップテーブルを説明するための説明図である。
【図１４】図１４は、本実施形態に係る変換前の元の彩度と人間が彩度変化を許容する範囲の彩度減衰量との関係を示すルックアップテーブルを説明するための説明図である。
【図１５】図１５は、本実施形態に係るＨＳＶ色空間において彩度減衰量を示す概念図である。
【図１６】図１６は、本実施形態に係る第２の色変換処理例を説明する模式図である。
【図１７】図１７は、比較例に係る色変換処理例を説明する模式図である。
【図１８】図１８は、本実施形態に係る第２の色変換方法を説明するためのフローチャートである。
【図１９】図１９は、比較例における画像表示部の表示輝度と消費電力との関係の一例を示す概略図である。
【図２０】図２０は、実施形態１に係る表示装置における画像表示部の表示輝度と消費電力との関係の一例を示す概略図である。
【図２１】図２１は、実施形態２に係る表示装置における画像表示部の表示輝度と消費電力との関係、及び画像表示部の表示輝度と色変換レベルとの関係の一例を示す概略図である。
【図２２】図２２は、実施形態３に係る表示装置における画像表示部の表示輝度と消費電力との関係、及び画像表示部の表示輝度と色変換レベルとの関係の一例を示す概略図である。
【図２３】図２３は、本実施形態に係る表示装置を適用する電子機器の一例を示す図である。
【図２４】図２４は、本実施形態に係る表示装置を適用する電子機器の一例を示す図である。
【図２５】図２５は、本実施形態に係る表示装置を適用する電子機器の一例を示す図である。
【図２６】図２６は、本実施形態に係る表示装置を適用する電子機器の一例を示す図である。
【図２７】図２７は、本実施形態に係る表示装置を適用する電子機器の一例を示す図である。
【図２８】図２８は、本実施形態に係る表示装置を適用する電子機器の一例を示す図である。
【図２９】図２９は、本実施形態に係る表示装置を適用する電子機器の一例を示す図である。
【図３０】図３０は、本実施形態に係る表示装置を適用する電子機器の一例を示す図である。
【図３１】図３１は、本実施形態に係る表示装置を適用する電子機器の一例を示す図である。
【発明を実施するための形態】
【００１０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（実施形態１）
＜表示装置の構成＞
図１は、本実施形態に係る表示装置の構成の一例を示すブロック図である。図２は、本実施形態に係る画像表示部の画素が含む副画素の点灯駆動回路を示す図である。図３は、本実施形態に係る画像表示部の副画素の配列を示す図である。図４は、本実施形態に係る画像表示部の断面構造を示す図である。
【００１２】
図１に示すように、表示装置１００は、変換処理部１０と、第４副画素信号処理部２０と、画像表示パネルである画像表示部３０と、画像表示部３０の駆動を制御する画像表示パネル駆動回路４０（以下、駆動回路４０ともいう。）と、を備えている。なお、変換処理部１０と、第４副画素信号処理部２０とは、ハードウェア又はソフトウェアのいずれかによって機能が実現されていればよく、特に限定されるものではない。また、変換処理部１０及び第４副画素信号処理部２０の各回路がハードウェアによって構成されるものであっても、それぞれの回路が物理的に独立して区別される必要はなく、物理的に単一の回路によって複数の機能が実現されるものとしてもよい。これら変換処理部１０と第４副画素信号処理部２０とにより本実施形態に係る色変換処理部５０を構成している。また、表示装置１００は、例えば、ユーザが設定した輝度設定値を入力する、あるいは、外光照度などを測定し、表示装置外の情報を入力する外部情報部１１を備えていてもよい。又は、表示装置１００は、表示装置１００外にある外部情報部１１から、画像表示部３０に表示される画像の輝度をユーザが設定した輝度設定値や、外光照度の情報などを取得し、色変換処理部５０へ入力してもよい。
【００１３】
変換処理部１０には、入力映像信号に基づいて求められる、所定の画素に表示するための第１色情報が第１入力信号ＳＲＧＢ１として入力される。変換処理部１０は、ＨＳＶ色空間の入力値である第１色情報を、人間が彩度変化を許容する範囲の彩度減衰量で彩度が低減された第２色情報に変換した第２入力信号ＳＲＧＢ２を出力する。第１色情報及び第２色情報は、ともに赤（Ｒ）成分、緑（Ｇ）成分、青（Ｂ）成分を含む３色のカラー入力信号（Ｒ、Ｇ、Ｂ）である。
【００１４】
第４副画素信号処理部２０は、画像表示部３０を駆動するための画像表示パネル駆動回路４０と接続されている。例えば、第４副画素信号処理部２０は、入力信号の入力ＨＳＶ色空間の入力値（第２入力信号ＳＲＧＢ２）を、第１の色、第２の色、第３の色及び第４の色で再現されるＨＳＶ色空間の再現値（第３入力信号ＳＲＧＢＷ）に変換し、当該第３入力信号ＳＲＧＢＷを出力信号として画像表示部３０に出力する。このように、第４副画素信号処理部２０は、第２入力信号ＳＲＧＢ２における第２色情報を、赤（Ｒ）成分、緑（Ｇ）成分、青（Ｂ）成分及び追加色成分として例えば白色（Ｗ）成分に変換した第３色情報を含む第３入力信号ＳＲＧＢＷを、駆動回路４０へ出力する。第３色情報は、４色カラー入力信号（Ｒ、Ｇ、Ｂ、Ｗ）である。追加色成分は、赤（Ｒ）成分、緑（Ｇ）成分、青（Ｂ）成分の各階調が２５６階調で（Ｒ、Ｇ、Ｂ）＝（２５５、２５５、２５５）のいわゆるピュアホワイトの白成分を例として説明するが、これに限られず、例えば、（Ｒ、Ｇ、Ｂ）＝（２５５、２３０、２０４）で表されるような色成分を、第４副画素が表示する追加色成分として、変換を行うものであってもよい。
【００１５】
なお、本実施形態では、上述したように変換処理を、入力信号（例えばＲＧＢ）をＨＳＶ空間の信号に変換する処理として例示して説明しているが、これに限らず、ＸＹＺ空間、ＹＵＶ空間やその他の座標系の信号に変換してもよい。また、ディスプレイの色域であるｓＲＧＢやＡｄｏｂｅ（登録商標）ＲＧＢの色域は、ＸＹＺ表色系のｘｙ色度範囲上において、三角形状の範囲で示されるが、定義色域が定義される所定の色空間は、三角形状の範囲で定められることに限定されるものではなく、多角形状等の任意の形状の範囲で定められるものとしてもよい。
【００１６】
第４副画素信号処理部２０は、生成した出力信号を画像表示パネル駆動回路４０に出力する。駆動回路４０は、画像表示部３０の制御装置であって、信号出力回路４１、走査回路４２及び電源回路４３を備えている。駆動回路４０は、信号出力回路４１によって、第３色情報を含む第３入力信号ＳＲＧＢＷを保持し、順次、画像表示部３０の各画素３１に出力する。信号出力回路４１は、信号線ＤＴＬによって画像表示部３０と電気的に接続されている。駆動回路４０は、走査回路４２によって、画像表示部３０における副画素を選択し、副画素の動作（発光輝度や光透過率）を制御するためのスイッチング素子（例えば、薄膜トランジスタ（Thin  Film  Transistor：ＴＦＴ））のオン及びオフを制御する。走査回路４２は、走査線ＳＣＬによって画像表示部３０と電気的に接続されている。電源回路４３は、電源線ＰＣＬによって各画素３１の後述する自発光体へ電力を供給する。
【００１７】
なお、表示装置１００は、特許文献の、特許第３１６７０２６号公報、特許第３８０５１５０号公報、特許４８７０３５８号公報、特開２０１１−９０１１８号公報、特開２００６−３４７５号公報に記載されている各種変形例が適用可能である。
【００１８】
図１に示すように、画像表示部３０は、画素３１が、Ｐ０×Ｑ０個（行方向にＰ０個、列方向にＱ０個）、２次元のマトリクス状（行列状）に配列されている。
【００１９】
画素３１は、複数の副画素３２を含み、図２に示す副画素３２の点灯駆動回路が２次元のマトリクス状（行列状）に配列されている。点灯駆動回路は、制御用トランジスタＴｒ１と、駆動用トランジスタＴｒ２と、電荷保持用コンデンサＣ１とを含む。制御用トランジスタＴｒ１のゲートが走査線ＳＣＬに接続され、ソースが信号線ＤＴＬに接続され、ドレインが駆動用トランジスタＴｒ２のゲートに接続されている。電荷保持用コンデンサＣ１の一端が駆動用トランジスタＴｒ２のゲートに接続され、他端が駆動用トランジスタＴｒ２のソースに接続されている。駆動用トランジスタＴｒ２のソースが、電源線ＰＣＬと接続されており、駆動用トランジスタＴｒ２のドレインが、自発光体である有機発光ダイオードＥ１のアノード（陽極）に接続されている。有機発光ダイオードＥ１のカソード（陰極）は、例えば基準電位（例えばアース）に接続されている。
【００２０】
なお、図２では制御用トランジスタＴｒ１がｎチャネル型トランジスタ、駆動用トランジスタＴｒ２がｐチャネル型トランジスタの例を示しているが、それぞれのトランジスタの極性はこれに限定されない。必要に応じて、制御用トランジスタＴｒ１及び駆動用トランジスタＴｒ２それぞれの極性を決めればよい。
【００２１】
画素３１は、図３に示すように、例えば、第１副画素３２Ｒと、第２副画素３２Ｇと、第３副画素３２Ｂと、第４副画素３２Ｗとを有する。第１副画素３２Ｒは、第１原色（例えば、赤色（Ｒ）成分）を表示する。第２副画素３２Ｇは、第２原色（例えば、緑色（Ｇ）成分）を表示する。第３副画素３２Ｂは、第３原色（例えば、青色（Ｂ）成分）を表示する。第４副画素３２Ｗは、第１原色、第２原色及び第３原色とは異なる追加色成分としての第４の色（具体的には白色（Ｗ）成分）を表示する。以下において、第１副画素３２Ｒと、第２副画素３２Ｇと、第３副画素３２Ｂと、第４副画素３２Ｗとをそれぞれ区別する必要がない場合、副画素３２という。
【００２２】
画像表示部３０は、基板５１と、絶縁層５２、５３と、反射層５４と、下部電極５５と、自発光層５６と、上部電極５７と、絶縁層５８と、絶縁層５９と、色変換層としてのカラーフィルタ６１Ｒ、６１Ｇ、６１Ｂ、６１Ｗ、遮光層としてのブラックマトリクス６２と、基板５０とを備えている（図４参照）。基板５１は、シリコンなどの半導体基板、ガラス基板、樹脂基板などであって、上述した点灯駆動回路などを形成又は保持している。絶縁層５２は、上述した点灯駆動回路などを保護する保護膜であり、シリコン酸化物、シリコン窒化物などを用いることができる。下部電極５５は、第１副画素３２Ｒと、第２副画素３２Ｇと、第３副画素３２Ｂと、第４副画素３２Ｗとにそれぞれ設けられており、上述した有機発光ダイオードＥ１のアノードとなる導電体である。下部電極５５は、インジウム錫酸化物（Indium  Tin  Oxide：ＩＴＯ）等の透光性導電材料（透光性導電酸化物）で形成される透光性電極である。絶縁層５３は、バンクと呼ばれ、第１副画素３２Ｒと、第２副画素３２Ｇと、第３副画素３２Ｂと、第４副画素３２Ｗとを区画する絶縁層である。反射層５４は、自発光層５６からの光を反射する金属光沢のある材料、例えば銀、アルミニウム、金などで形成されている。自発光層５６は、有機材料を含み、不図示のホール注入層、ホール輸送層、発光層、電子輸送層、電子注入層を含む。
【００２３】
＜ホール輸送層＞
正孔を発生する層としては、例えば、芳香族アミン化合物と、その化合物に対して電子受容性を示す物質とを含む層を用いることが好ましい。ここで、芳香族アミン化合物とは、アリールアミン骨格を有する物質である。芳香族アミン化合物の中でも特に、トリフェニルアミンを骨格に含み、４００以上の分子量を有するものが好ましい。また、トリフェニルアミンを骨格に有する芳香族アミン化合物の中でも特にナフチル基のような縮合芳香環を骨格に含むものが好ましい。トリフェニルアミンと縮合芳香環とを骨格に含む芳香族アミン化合物を用いることによって、発光素子の耐熱性が良くなる。芳香族アミン化合物の具体例としては、例えば、４，４’−ビス［Ｎ−（１−ナフチル）−Ｎ−フェニルアミノ］ビフェニル（略称：α−ＮＰＤ）、４，４’−ビス［Ｎ−（３−メチルフェニル）−Ｎ−フェニルアミノ］ビフェニル（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−｛４−（Ｎ，Ｎ−ジ−ｍ−トリルアミノ）フェニル｝−Ｎ−フェニルアミノ］ビフェニル（略称：ＤＮＴＰＤ）、１，３，５−トリス［Ｎ，Ｎ−ジ（ｍ−トリル）アミノ］ベンゼン（略称：ｍ−ＭＴＤＡＢ）、４，４’，４’’−トリス（Ｎ−カルバゾリル）トリフェニルアミン（略称：ＴＣＴＡ）、２，３−ビス（４−ジフェニルアミノフェニル）キノキサリン（略称：ＴＰＡＱｎ）、２，２’，３，３’−テトラキス（４−ジフェニルアミノフェニル）−６，６’−ビスキノキサリン（略称：Ｄ−ＴｒｉＰｈＡＱｎ）、２，３−ビス｛４−［Ｎ−（１−ナフチル）−Ｎ−フェニルアミノ］フェニル｝−ジベンゾ［ｆ，ｈ］キノキサリン（略称：ＮＰＡＤｉＢｚＱｎ）等が挙げられる。また、芳香族アミン化合物に対して電子受容性を示す物質について特に限定はなく、例えば、モリブデン酸化物、バナジウム酸化物、７，７，８，８−テトラシアノキノジメタン（略称：ＴＣＮＱ）、２，３，５，６−テトラフルオロ−７，７，８，８−テトラシアノキノジメタン（略称：Ｆ４−ＴＣＮＱ）等を用いることができる。
【００２４】
＜電子注入層、電子輸送層＞
電子輸送性物質について特に限定はなく、例えば、トリス（８−キノリノラト）アルミニウム（略称：Ａｌｑ３）、トリス（４−メチル−８−キノリノラト）アルミニウム（略称：Ａｌｍｑ３）、ビス（１０−ヒドロキシベンゾ［ｈ］−キノリナト）ベリリウム（略称：ＢｅＢｑ２）、ビス（２−メチル−８−キノリノラト）−４−フェニルフェノラト−アルミニウム（略称：ＢＡｌｑ）、ビス［２−（２−ヒドロキシフェニル）ベンゾオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）等の金属錯体の他、２−（４−ビフェニリル）−５−（４−ｔｅｒｔ−ブチルフェニル）−１，３，４−オキサジアゾール（略称：ＰＢＤ）、１，３−ビス［５−（ｐ−ｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）等を用いることができる。また、電子輸送性物質に対して電子供与性を示す物質について特に限定はなく、例えば、リチウム、セシウム等のアルカリ金属、マグネシウム、カルシウム等のアルカリ土類金属、エルビウム、イッテルビウム等の希土類金属等を用いることができる。また、リチウム酸化物（Ｌｉ２Ｏ）、カルシウム酸化物（ＣａＯ）、ナトリウム酸化物（Ｎａ２Ｏ）、カリウム酸化物（Ｋ２Ｏ）、マグネシウム酸化物（ＭｇＯ）等、アルカリ金属酸化物およびアルカリ土類金属酸化物の中から選ばれた物質を、電子輸送性物質に対して電子供与性を示す物質として用いても構わない。
【００２５】
＜発光層＞
例えば、赤色系の発光を得たいときには、４−ジシアノメチレン−２−イソプロピル−６−［２−（１，１，７，７−テトラメチルジュロリジン−９−イル）エテニル］−４Ｈ−ピラン（略称：ＤＣＪＴＩ）、４−ジシアノメチレン−２−メチル−６−［２−（１，１，７，７−テトラメチルジュロリジン−９−イル）エテニル］−４Ｈ−ピラン（略称：ＤＣＪＴ）、４−ジシアノメチレン−２−ｔｅｒｔ−ブチル−６−［２−（１，１，７，７−テトラメチルジュロリジン−９−イル）エテニル］−４Ｈ−ピラン（略称：ＤＣＪＴＢ）やペリフランテン、２，５−ジシアノ−１，４−ビス［２−（１０−メトキシ−１，１，７，７−テトラメチルジュロリジン−９−イル）エテニル］ベンゼン等、６００ｎｍから６８０ｎｍに発光スペクトルのピークを有する発光を呈する物質を用いることができる。また緑色系の発光を得たいときは、Ｎ，Ｎ’−ジメチルキナクリドン（略称：ＤＭＱｄ）、クマリン６やクマリン５４５Ｔ、トリス（８−キノリノラト）アルミニウム（略称：Ａｌｑ３）等、５００ｎｍから５５０ｎｍに発光スペクトルのピークを有する発光を呈する物質を用いることができる。また、青色系の発光を得たいときは、９，１０−ビス（２−ナフチル）−ｔｅｒｔ−ブチルアントラセン（略称：ｔ−ＢｕＤＮＡ）、９，９’−ビアントリル、９，１０−ジフェニルアントラセン（略称：ＤＰＡ）、９，１０−ビス（２−ナフチル）アントラセン（略称：ＤＮＡ）、ビス（２−メチル−８−キノリノラト）−４−フェニルフェノラト−ガリウム（略称：ＢＧａｑ）、ビス（２−メチル−８−キノリノラト）−４−フェニルフェノラト−アルミニウム（略称：ＢＡｌｑ）等、４２０ｎｍから５００ｎｍに発光スペクトルのピークを有する発光を呈する物質を用いることができる。以上のように、蛍光を発光する物質の他、ビス［２−（３，５−ビス（トリフルオロメチル）フェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４，６−ジフルオロフェニル）ピリジナト−Ｎ，Ｃ２’］イリジウム（ＩＩＩ）アセチルアセトナート（略称：ＦＩｒ（ａｃａｃ））、ビス［２−（４，６−ジフルオロフェニル）ピリジナト−Ｎ，Ｃ２’］イリジウム（ＩＩＩ）ピコリナート（ＦＩｒ（ｐｉｃ））、トリス（２−フェニルピリジナト−Ｎ，Ｃ２’）イリジウム（略称：Ｉｒ（ｐｐｙ）３）等の燐光を発光する物質も発光物質として用いることができる。
【００２６】
上部電極５７は、インジウム錫酸化物（Indium  Tin  Oxide：ＩＴＯ）等の透光性導電材料（透光性導電酸化物）で形成される透光性電極である。なお本実施形態では、透光性導電材料の例としてＩＴＯを挙げたが、これに限定されない。透光性導電材料として、インジウム亜鉛酸化物（Indium  Zinc  Oxide：ＩＺＯ）等の別の組成を有する導電材料を用いてもよい。上部電極５７は、有機発光ダイオードＥ１のカソード（陰極）になる。絶縁層５８は、上述した上部電極を封止する封止層であり、シリコン酸化物、シリコン窒化物などを用いることができる。絶縁層５９は、バンクにより生じる段差を抑制する平坦化層であり、シリコン酸化物、シリコン窒化物などを用いることができる。基板５０は、画像表示部３０全体を保護する透光性の基板であり、例えば、ガラス基板を用いることができる。
【００２７】
なお、図４においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光層の積層順を適宜変えることも可能である。
【００２８】
画像表示部３０は、カラー表示パネルであり、図４に示すように、自発光層５６の発光成分のうち、第１副画素３２Ｒと画像観察者との間に第１原色光Ｌｒを通過させる第１カラーフィルタ６１Ｒが配置されている。画像表示部３０は、同様に、自発光層５６の発光成分のうち、第２副画素３２Ｇと画像観察者との間に第２原色光Ｌｇを通過させる第２カラーフィルタ６１Ｇが配置されている。画像表示部３０は、同様に、自発光層５６の発光成分のうち、第３副画素３２Ｂと画像観察者との間に第３原色光Ｌｂを通過させる第３カラーフィルタ６１Ｂが配置されている。同様に、自発光層５６の発光成分のうち、第４副画素３２Ｗと画像観察者との間に第４原色光Ｌｗになるように調整された発光成分を通過させる第４カラーフィルタ６１Ｗが配置されている。画像表示部３０は、第１原色光Ｌｒ、第２原色光Ｌｇ及び第３原色光Ｌｂと異なる色成分を有する第４原色光Ｌｗを第４副画素３２Ｗから発光することができる。また、第４副画素３２Ｗと画像観察者との間にカラーフィルタが配置されていないようにしてもよく、画像表示部３０は、自発光層５６の発光成分がカラーフィルタなどの色変換層を介さず、第１原色光Ｌｒ、第２原色光Ｌｇ及び第３原色光Ｌｂと異なる色成分を有する第４原色光Ｌｗを第４副画素３２Ｗから発光することもできる。例えば画像表示部３０の第４副画素３２Ｗには、色調整用の第４カラーフィルタ６１Ｗの代わりに透明な樹脂層が備えられていてもよい。このように画像表示部３０は、透明な樹脂層を設けることで、第４副画素３２Ｗに大きな段差が生じることを抑制することができる。
【００２９】
図５は、本実施形態に係る画像表示部の副画素の他の配列を示す図である。画像表示部３０は、第１副画素３２Ｒ、第２副画素３２Ｇ、第３副画素３２Ｂ及び第４副画素３２Ｗを含む副画素３２を２行２列で組み合わせた画素３１がマトリクス状に配置されている。
【００３０】
図６は、本実施形態の表示装置で再現可能なＨＳＶ色空間の概念図である。図７は、ＨＳＶ色空間の色相と彩度との関係を示す概念図である。表示装置１００は、画素３１に第４の色（白色）を出力する第４副画素３２Ｗを備えることで、図６に示すように、ＨＳＶ色空間における明度のダイナミックレンジを広げることができる。つまり、図６に示すように、第１副画素３２Ｒ、第２副画素３２Ｇ及び第３副画素３２Ｂが表示することのできる円柱形状のＨＳＶ色空間に、彩度Ｓが高くなるほど明度Ｖの最大値が低くなる略円錐台形状となる立体が載っている形状となる。
【００３１】
第１入力信号ＳＲＧＢ１は、赤（Ｒ）成分、緑（Ｇ）成分、青（Ｂ）成分の各階調の入力信号を第１色情報として有するため、ＨＳＶ色空間の円柱形状、つまり、図６に示すＨＳＶ色空間の円柱形状部分の情報になる。
【００３２】
そして、色相Ｈは、図７に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンダ（Ｍａｇｅｎｔａ）、赤となる。本実施形態では、角度０°を含む領域が赤となり、角度１２０°を含む領域が緑となり、角度２４０°を含む領域が青となる。
【００３３】
＜色変換処理例＞
本実施形態では、色変換処理部５０は、人間が変化に気づきにくい範囲で、本来の色のもつ色相や彩度を変換する色変換処理を行うことで、画像表示部３０の消費電力の抑制を図るように構成されている。以下、この色変換処理例について説明する。
【００３４】
まず、第１の色変換処理例について説明する。図８は、本実施形態に係るＨＳＶ色空間において色相変換処理を示す概念図である。図９は、本実施形態に係る変換前の元の色相と人間が色相変化を許容する範囲の色相変化量との関係を示すルックアップテーブルを説明するための説明図である。図１０は、本実施形態に係る第１の色変換処理例を説明する模式図である。図１１は、本実施形態に係る第１の色変換方法を説明するためのフローチャートである。図１２は、本実施形態に係る第１の色変換処理例を説明する模式図である。
【００３５】
図８に示すように、角度０°の領域ＬＲ１００を含み、かつ角度０°以上３０°以下を含む領域ＬＲＬと、角度１２０°の領域ＬＧ１００と、角度２４０°の領域ＬＢ１００の領域とは、色相Ｈの認識されやすい領域であるので、色相Ｈの変換量を低く設定しておいた方がよい。しかしながら、色相Ｈが、角度３０°より大きく、領域ＬＧ１００までは、緑寄りに（領域ＬＧ１００に近くなるように）色相Ｈを色相変化量ＰＲＧ分ずらすと消費電力が抑制され、発光効率が向上することが判明した。また、色相Ｈが、領域ＬＧ１００より大きく、領域ＬＢ１００までは、緑寄りに（領域ＬＧ１００に近くなるように）色相Ｈを色相変化量ＰＧＢ分ずらすと消費電力が抑制され、発光効率が向上することが判明した。さらに、色相Ｈが、領域ＬＢ１００より大きく、領域ＬＲ１００までは、赤寄りに（領域ＬＲ１００に近くなるように）色相Ｈを色相変化量ＰＲＢ分ずらすと消費電力が抑制され、発光効率が向上することが判明した。これは、緑色、赤色、青色の順に輝度が高いので、第２色情報の色相は、第１色情報の色相よりも輝度が高い色方向に変換すれば、消費電力が抑制されることになる。そこで本実施形態に係る変換処理部１０は、図９に示す色相Ｈに対する色相変化量のルックアップテーブルの情報を記憶しておき、図９に示すルックアップテーブルに基づいて、色相変化量ＰＲＧ、ＰＧＢ、ＰＲＢを演算する。
【００３６】
図１１に示すように、画像表示部へ供給する入力信号の色変換方法において、変換処理部１０には、入力映像信号に基づいて求められる、所定の画素に表示するための第１色情報が第１入力信号ＳＲＧＢ１として入力される（ステップＳ１１）。第１色情報は、必要に応じて、γ変換され、ＲＧＢ座標系の値がＨＳＶ色空間の入力値へ変換される。
【００３７】
本実施形態に係る変換処理部１０は、第１副画素３２Ｒと、第２副画素３２Ｇと、第３副画素３２Ｂと、第４副画素３２Ｗとが有する発光体の点灯量の総量が小さくなるように人間が色相変化に気づきにくい範囲で本来の色の色相Ｈを色相変化量ＰＲＧ、ＰＧＢ、ＰＲＢ分以下だけずらす色相変換ステップ（ステップＳ１２）を処理する。例えば、図９に示すルックアップテーブルによれば、赤成分と、青成分のみの第１色情報である第１入力信号ＳＲＧＢ１（図１０参照）は、緑成分が無いため、白成分を増加させる変換をすることが難しい。そこで、本実施形態に係る変換処理部１０は、図１０に示すように第１副画素３２Ｒ及び第３副画素３２Ｂの自発光体の点灯量が低減する方向側に、第１副画素３２Ｒが有する発光体の点灯量の総量が小さくなるように人間が色相変化に気づきにくい範囲で本来の色の色相Ｈを色相変化量ＰＲＢ分以下だけずらして、第１副画素３２Ｒが有する発光体の点灯量を低減する。
【００３８】
次に、変換処理部１０は、第１色情報の輝度と、第２色情報の輝度とが変化しないように輝度調整する演算を行う輝度調整処理ステップを行う（ステップＳ１３）。そして、人間にとって、第１色情報と、第２色情報とを比較した場合、輝度の変化が小さいので、画像全体の劣化の認識が抑制される。例えば、図９に示すルックアップテーブルによれば、赤成分と、青成分のみの第１色情報である第１入力信号ＳＲＧＢ１（図１２参照）は、緑成分が無いため、白成分を増加させる変換をすることが難しい。そこで、図１２に示すように、本実施形態に係る変換処理部１０は、第２色情報の色相は、第１色情報の色相よりも輝度が高い色方向に、人間が色相変化に気づきにくい範囲で本来の色の色相Ｈを色相変化量ＰＲＢ分以下だけずらして、第１副画素３２Ｒが有する発光体の点灯量を増加する。変換後の色相Ｈの輝度が高くなるが、輝度調整処理によって、単色成分である赤成分、緑成分及び青成分のレベルが一様に下がるため、ＲＧＢＷ信号処理ステップ（ステップＳ１４）を経ると、第３入力信号ＳＲＧＢＷは、第１副画素３２Ｒが表示する赤成分（Ｒ）の点灯量と、第３副画素３２Ｂが表示する青成分（Ｂ）の点灯量とがより低減する。
【００３９】
次に、第４副画素信号処理部２０は、変換処理部１０により生成された第２入力信号を、第１の色、第２の色、第３の色及び第４の色で再現されるＨＳＶ色空間の再現値（第３入力信号ＳＲＧＢＷ）に変換し、当該第３入力信号ＳＲＧＢＷを出力信号として画像表示部３０に出力するＲＧＢＷ信号処理ステップＳ１４を行う。そして、第４副画素信号処理部２０は、第２入力信号ＳＲＧＢ２における第２色情報に基づいて生成された、赤（Ｒ）成分、緑（Ｇ）成分、青（Ｂ）成分及び追加色成分として例えば白色（Ｗ）成分を有する第３色情報を含む第３入力信号ＳＲＧＢＷを、画像表示部３０の駆動を制御する駆動回路４０へ出力する出力ステップ（ステップＳ１５）を処理する。
【００４０】
上述した第１の色変換処理例では、第２色情報が、第１色情報よりも人間が色相変化を許容する範囲で色相がずれるように色相変換する。このように、変換処理部１０は、入力映像信号に基づいて求められる、所定の画素３１に表示するための第１色情報が第１入力信号ＳＲＧＢ１として入力され、当該第１色情報の色相を、人間が色相変化を許容する範囲の色相変化量で色相をシフトした第２色情報の第２入力信号ＳＲＧＢ２を出力する。これにより、第１副画素３２Ｒと、第２副画素３２Ｇと、第３副画素３２Ｂと、第４副画素３２Ｗとが有する発光体の点灯量の総量が小さくなる。
【００４１】
画像表示部３０は、第１色情報の輝度と、第２色情報の輝度とが変化しないように元の色相がシフトしているので、人間に画像劣化を認識されにくい。その結果、表示装置１００は、全体としても画質の低下（劣化）を抑制しつつ消費電力を抑制することができる。
【００４２】
また、変換処理部１０は、第１色情報の色相に応じて色相変化量を異ならせるように色相をシフトする。これにより、人間に色の違いが識別しやすい色相領域での色相変化量は小さいので、人間に画像劣化を認識されにくい。その結果、表示装置１００は、全体としても画質の低下（劣化）を抑制しつつ消費電力を抑制することができる。
【００４３】
また、変換処理部１０は、第１色情報に、白成分がないか、少ない場合でも、色相変換ステップＳ１２の後の電力削減効果が期待できる。その結果、表示装置１００は、全体としても画質の低下（劣化）を抑制しつつ消費電力を抑制することができる。また、原色に近いほど彩度の減衰量は、小さくなるので、人間に色の違いを識別されにくい。
【００４４】
次に、第２の色変換処理例について説明する。ここでは、表示装置１００、変換処理部１０及び第４副画素信号処理部２０が実行する処理動作について説明する。図１３は、本実施形態に係る色相と、人間が彩度変化を許容する範囲の彩度減衰量との関係を示すルックアップテーブルを説明するための説明図である。図１４は、本実施形態に係る変換前の元の彩度と人間が彩度変化を許容する範囲の彩度減衰量との関係を示すルックアップテーブルを説明するための説明図である。図１５は、本実施形態に係るＨＳＶ色空間において彩度減衰量を示す概念図である。図１６は、本実施形態に係る第２の色変換処理例を説明する模式図である。図１７は、比較例に係る色変換処理例を説明する模式図である。図１８は、本実施形態に係る第２の色変換方法を説明するためのフローチャートである。
【００４５】
図１８に示すように、画像表示部へ供給する入力信号の色変換方法において、変換処理部１０には、入力映像信号に基づいて求められる、所定の画素に表示するための第１色情報が第１入力信号ＳＲＧＢ１として入力される（ステップＳ２１）。第１色情報は、必要に応じて、γ変換され、ＲＧＢ座標系の値がＨＳＶ色空間の入力値へ変換される。
【００４６】
次に、図１８に示すように、変換処理部１０は、図９のルックアップテーブルの情報に基づいて、上述したステップＳ１２と同様に、色相変換ステップを処理する（ステップＳ２２）。
【００４７】
図１３に示すように、人間が彩度変化を許容する範囲の彩度減衰量は、色相Ｈ毎に異なる。図１３に示すルックアップテーブルは、色相Ｈ毎の彩度減衰量を縦軸にゲイン値ＱＳＨが求められる第１の彩度変換情報である。図１３に示すように、色相Ｈが角度０°を含む領域である赤成分及び角度２４０°を含む領域である青成分の一方である場合、人間が彩度変化を許容する範囲の彩度減衰量が小さいので、変換処理部１０が彩度を変化させる彩度減衰量が小さい。
【００４８】
図１４に示すように、人間が彩度変化を許容する範囲の彩度減衰量は、元の彩度Ｓ毎に異なる。図１４に示すルックアップテーブルは、変換処理部１０が変換する前の元の彩度Ｓに対して、人間が彩度変化を認識する彩度減衰量の下限値の曲線を認識特性曲線ＱＭＳとしてプロットしている。そして、変換処理部１０は、同じ元の彩度Ｓに対して、認識特性曲線ＱＭＳよりも下回る範囲で、近似曲線ＱＳＳを第１の彩度変換情報として記憶している。近似曲線ＱＳＳは、例えば、色相Ｈのうち、赤成分の原色、緑成分の原色、青成分の原色毎の認識特性曲線ＱＭＳの平均値を下回るように記憶されている。より具体的には、近似曲線ＱＳＳは、例えば、傾きの異なる２つの直線を組み合わせ、元の彩度Ｓが彩度Ｓａの場合、彩度減衰量がＳｂ１となり、元の彩度が０の場合、彩度減衰量がＳｂ２となるように記憶されている。
【００４９】
次に、図１５に示すように、変換処理部１０は、図１３及び図１４のルックアップテーブルの情報に基づいて、彩度減衰量ΔＳＲ、ΔＳＧ、ΔＳＢのいずれかに規制されるように、彩度減衰量のゲイン値を演算し、ＨＳＶ色空間の入力値である第１色情報に乗算することで、彩度変換ステップを処理する（ステップＳ２３）。変換処理部１０は、例えば、図１３及び図１４のルックアップテーブル同士を乗算したゲイン値を使用する。これにより、色相Ｈ毎により精度の高いゲイン値を得ることができる。又は、変換処理部１０は、例えば、図１３及び図１４のルックアップテーブル同士を加算したゲイン値を使用する。これにより、変換処理の演算負荷を軽減することができる。
【００５０】
例えば、図１６に示すように、第１色情報を含む第１入力信号ＳＲＧＢ１が、彩度変換ステップ（ステップＳ２３）により、第２色情報を含む第２入力信号ＳＲＧＢ２に変換された場合、緑（Ｇ）の成分が多くなるように彩度減衰量ΔＳＧを演算する。これにより、単色成分である赤成分、緑成分及び青成分が揃う白成分の量が増える。そして、第４副画素信号処理部２０が、第２入力信号ＳＲＧＢ２を、第１の色、第２の色、第３の色及び第４の色で再現されるＨＳＶ色空間の再現値（第３入力信号ＳＲＧＢＷ）に変換し、当該第３入力信号ＳＲＧＢＷを出力信号として画像表示部３０に出力するＲＧＢＷ信号処理ステップ（ステップＳ２５）を行う場合、第１副画素３２Ｒが表示する赤成分（Ｒ）の点灯量と、第４副画素３２Ｗが表示する追加成分（Ｗ）、つまり白色の点灯量と、が画素３１の消費電力となる。
【００５１】
ここで、図１７に示すように、比較例に係る色変換処理例では、彩度変換ステップ（ステップＳ２３）を介さずに、ＲＧＢＷ信号処理ステップ（ステップＳ２５）を処理しているので、第１副画素３２Ｒが表示する赤成分（Ｒ）の点灯量と、第３副画素３２Ｂが表示する青成分（Ｂ）の点灯量と、第４副画素３２Ｗが表示する追加成分（Ｗ）、つまり白色の点灯量と、が画素３１の消費電力となる。このように、比較例の処理に比べ、実施形態１に係る色変換方法は、追加成分（Ｗ）、つまり白色の点灯量を増やすことと、単色成分を低減することを両立し、画素３１の消費電力を抑制することができる。
【００５２】
次に、図１８に示すように、変換処理部１０は、第１色情報の輝度と、第２色情報の輝度とが変化しないように彩度を低減する演算を行う輝度調整処理ステップを行う（ステップＳ２４）。例えば変換処理部１０は、図１６に示すように、上述した彩度変換ステップ（ステップＳ２３）の後、第１色情報の輝度よりも、第２色情報の輝度が大きくみえるので、第１色情報の輝度と、第２色情報の輝度とが変化しないように輝度を調整する。なお、ここでは、色相変換ステップ（ステップＳ２２）の後に、彩度変換ステップ（ステップＳ２３）を処理する例を説明したが、彩度変換ステップ（ステップＳ２３）の後に色相変換ステップ（ステップＳ２２）を処理してもよいし、色相変換ステップ（ステップＳ２２）と、彩度変換ステップ（ステップＳ２３）とを同時並行で処理してもよい。
【００５３】
図１６に示すように、輝度調整処理によって、単色成分である赤成分、緑成分及び青成分のレベルが一様に下がるため、ＲＧＢＷ信号処理ステップ（ステップＳ２５）を経ると、第３入力信号ＳＲＧＢＷは、第１副画素３２Ｒが表示する赤成分（Ｒ）の点灯量と、第４副画素３２Ｗが表示する追加成分（Ｗ）、つまり白色の点灯量と、がより低減する。さらに、人間にとって、第１色情報と、第２色情報とを比較した場合、輝度の変化が小さいので、画像全体の劣化の認識が抑制される。
【００５４】
このように、第４副画素信号処理部２０は、第２入力信号ＳＲＧＢ２における第２色情報に基づいて生成された、赤（Ｒ）成分、緑（Ｇ）成分、青（Ｂ）成分及び追加色成分として例えば白色（Ｗ）成分を有する第３色情報を含む第３入力信号ＳＲＧＢＷを、画像表示部３０の駆動を制御する駆動回路４０へ出力する出力ステップ（ステップＳ２６）を処理する。
【００５５】
ところで、変換処理部１０は、第１色情報を赤成分、緑成分、青成分及び追加色成分に変換した場合の自発光体の点灯量の総量が、第２色情報を赤成分、緑成分、青成分及び追加色成分に変換した場合の自発光体の点灯量の総量よりも小さい場合、第１色情報を第２色情報として第４副画素信号処理部２０へ出力する。このように、第１色情報を、人間が彩度変化を許容する範囲の彩度減衰量で彩度が低減された第２色情報に変換することには、第１色情報と同じ情報を第２色情報とすることも含む。これにより、彩度変換ステップ（ステップＳ２３）を処理することにより、かえって画素３１の消費電力が増加してしまう可能性を抑制する。
【００５６】
上述した第２の色変換処理例では、表示装置１００は、人間が彩度変化に気づきにくい範囲で本来の色の彩度（元の彩度Ｓ）を減衰して、第４副画素３２Ｗの点灯量が増えるようにする。第１副画素３２Ｒと、第２副画素３２Ｇと、第３副画素３２Ｂと、第４副画素３２Ｗとが有する発光体の点灯量の総量が小さくなるように人間が彩度変化に気づきにくい範囲で本来の色の彩度（元の彩度Ｓ）を減衰しているので、消費電力を抑制できる。その結果、第１副画素３２Ｒ、第２副画素３２Ｇ及び第３副画素３２Ｂのうち未点灯の副画素３２が増えると、さらに消費電力が抑制できる。
【００５７】
画像表示部３０は、第１色情報の輝度と、第２色情報の輝度とが変化しないように元の彩度Ｓが減衰しているので、人間に画像劣化を認識されにくい。その結果、表示装置１００は、全体としても画質の低下（劣化）を抑制しつつ消費電力を抑制することができる。
【００５８】
また、変換処理部１０は、第１色情報の色相に応じて彩度減衰量を異ならせるように彩度を低減する。これにより、人間に色の違いが識別しやすい色相領域での彩度の減衰量は小さいので、人間に画像劣化を認識されにくい。その結果、表示装置１００は、全体としても画質の低下（劣化）を抑制しつつ消費電力を抑制することができる。
【００５９】
また、変換処理部１０は、第１色情報の彩度が低いほど、彩度減衰量を大きくして彩度を低減する演算を行う。これにより、人間に識別されにくい低彩度の減衰量は大きいので、彩度変換ステップ（ステップＳ２３）の後の電力削減効果が期待できる。その結果、表示装置１００は、全体としても画質の低下（劣化）を抑制しつつ消費電力を抑制することができる。また、原色に近いほど彩度の減衰量は、小さくなるので、色の違いが人間に識別されにくい。
【００６０】
以上、画像表示部３０の消費電力を抑制するための色変換処理例について説明したが、画像表示部３０の消費電力を抑制するための色変換処理例としては、第１副画素３２Ｒと、第２副画素３２Ｇと、第３副画素３２Ｂと、第４副画素３２Ｗとが有する発光体の点灯量の総量が小さくなるような処理を行うものであれば、上記した例に限るものではない。
【００６１】
なお、上述した例では、３色カラー入力信号を４色カラー入力信号に変換し、４色の副画素を含む自発光体を点灯する画像表示部３０において、画像表示部３０の消費電力を抑制するための色変換処理例について説明したが、画像表示部３０としてはこれに限らず、例えば、３色の副画素を含む自発光体を点灯するものであってもよいし、例えば、３色あるいは４色の副画素を有する液晶パネルであってもよい。
【００６２】
次に、上述したような色変換処理を行う輝度範囲について説明する。図１９は、比較例における画像表示部の表示輝度と消費電力との関係の一例を示す概略図である。図２０は、実施形態１に係る表示装置における画像表示部の表示輝度と消費電力との関係の一例を示す概略図である。図１９，２０に示す例では、画像表示部３０の表示輝度を横軸、消費電力を縦軸に示している。ここで、画像表示部３０の表示輝度とは、画像表示部３０の表示領域における単位面積当たりの輝度、あるいは、画像表示部３０の表示領域における単位面積当たりの輝度の平均値等、画像表示部３０における表示領域全体の輝度を示すものと定義する。この画像表示部３０の表示輝度は、例えば、ユーザが入力した輝度設定値や、外部情報部１１が測定した外光照度などに基づき設定した輝度設定値により決まる。
【００６３】
図１９，２０に示す例において、一点鎖線ａは色変換処理を行わない場合における画像表示部３０の消費電力を示し、一点鎖線ｂは色変換処理を実施した場合における画像表示部３０の消費電力を示し、二点鎖線ｃは色変換処理を実施した場合における色変換処理部５０の消費電力を示し、実線ｄは色変換処理を実施した場合における画像表示部３０の消費電力と色変換処理部５０の消費電力とを加算した合計消費電力を示している。
【００６４】
図１９に示すように、画像表示部３０の消費電力は、画像表示部３０が表示する画像の表示輝度の上昇に応じて増加し（一点鎖線ａ）、色変換処理部５０の消費電力は、画像表示部３０が表示する画像の表示輝度の上昇に依らず一定である（二点鎖線ｃ）。
【００６５】
また、色変換処理部５０による色変換処理は、上述したように、第１副画素３２Ｒと、第２副画素３２Ｇと、第３副画素３２Ｂと、第４副画素３２Ｗとが有する発光体の点灯量の総量が小さくなるような処理を行うものであり、画像表示部３０が表示する画像の表示輝度の上昇と共に、画像表示部３０の消費電力の低減量が増加する処理である。この色変換処理により、画像表示部３０の消費電力は、色変換処理を行わない場合と比較して、画像表示部３０の表示輝度範囲の全域において一定の比率で低減する（一点鎖線ｂ）。
【００６６】
図１９に示す比較例において、色変換処理を行わない場合の画像表示部３０における消費電力（一点鎖線ａ）と、色変換処理を実施した場合の画像表示部３０における消費電力（一点鎖線ｂ）との差分が、色変換処理による画像表示部３０の消費電力削減量となるが、色変換処理を実施した場合には、画像表示部３０の消費電力（一点鎖線ｂ）に加え、色変換処理部５０の消費電力（二点鎖線ｃ）を考慮する必要がある。
【００６７】
図１９に示すように、画像表示部３０の表示輝度範囲の全域において色変換処理を実施した場合、画像表示部３０の消費電力と色変換処理部５０の消費電力とを加算した合計消費電力（実線ｄ）が色変換処理を行わない場合における画像表示部３０の消費電力（一点鎖線ａ）を上回る場合がある。すなわち、色変換処理を実施した場合における合計消費電力（実線ｄ）と、色変換処理を行わない場合における画像表示部３０の消費電力（一点鎖線ａ）とが交わる表示輝度Ａよりも小さい表示輝度範囲では、色変換処理を行わない方が表示装置１００全体としての消費電力が小さくなる。
【００６８】
これに対し、実施形態１では、図２０に示すように、図１９に示す比較例において色変換処理を実施した場合における合計消費電力（実線ｄ）と、色変換処理を行わない場合における画像表示部３０の消費電力（一点鎖線ａ）とが交わる表示輝度Ａよりも小さい表示輝度範囲では、色変換処理部５０による色変換処理を行わないようにしている。
【００６９】
このようにすれば、画像表示部３０の表示輝度範囲の全域において、画像表示部３０の消費電力と色変換処理部５０の消費電力とを加算した合計消費電力を小さくすることができ、表示装置１００全体としての消費電力、延いては、この表示装置１００を適用した電子機器の消費電力を低減することができる。
【００７０】
色変換処理を行わない表示輝度範囲を設定する例として、例えば、予め画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａに相当する輝度設定閾値を色変換処理部５０に設定しておき、この輝度設定閾値よりも小さくなる範囲を、色変換処理を行わない輝度設定範囲とすることが考えられる。
【００７１】
この場合には、色変換処理部５０は、表示装置１００に対して設定される輝度設定値と輝度設定閾値との比較を行うことで、色変換処理を実施するか否かを判定する。
【００７２】
輝度設定値としては、例えば、外部情報部１１から入力される輝度設定情報を用いることが考えられる。この輝度設定情報としては、ユーザが入力した輝度設定値や、外部情報部１１が測定した外光照度などに基づき設定した輝度設定値を用いることができる。
【００７３】
このようにすれば、色変換処理部５０は、ユーザや外光照度に応じて設定された輝度設定値と輝度設定閾値との比較結果に応じて、色変換処理を実施するか否かを判定することができる。
【００７４】
色変換処理部５０は、輝度設定値が輝度設定閾値よりも小さい場合に、色変換処理を行わないようにする。換言すれば、色変換処理部５０は、輝度設定値が輝度設定閾値以上である場合に、色変換処理を実施するようにする。
【００７５】
以上説明したように、実施形態１に係る表示装置１００、及び色変換方法によれば、画像表示部３０の消費電力の抑制を図る色変換処理を行うように構成された色変換処理部５０において、色変換処理を行った場合における画像表示部３０の消費電力と色変換処理部５０による消費電力との合計消費電力が、色変換処理を行わない場合における画像表示部３０の消費電力を上回る領域では、色変換処理を行わないようにする。具体的には、色変換処理部５０は、表示輝度Ａよりも小さい表示輝度範囲では、色変換処理を行わない。表示輝度Ａは、色変換を行う場合の合計消費電力と、色変換処理を行わない場合の画像表示部３０の消費電力との大小関係が相互に逆転する境界の輝度である。これにより、画像表示部３０の表示輝度範囲の全域において、画像表示部３０の消費電力と色変換処理部５０の消費電力とを加算した合計消費電力を小さくすることができ、表示装置１００全体としての消費電力、延いては、この表示装置１００を適用した電子機器の消費電力を低減することができる。
【００７６】
また、予め画像表示部３０の輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａに相当する表示輝度設定閾値を色変換処理部５０に設定しておくことができる。これにより、色変換処理部５０は、ユーザや外光照度に応じて設定された輝度設定値と輝度設定閾値との比較結果に応じて、色変換処理を実施するか否かを判定することができる。
【００７７】
本実施形態により、画像表示部の消費電力を抑制するための色変換処理を行う構成において、低輝度状態においても消費電力を抑制できる表示装置、色変換方法を提供することができる。
【００７８】
（実施形態２）
実施形態１では、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａよりも小さい表示輝度範囲では、色変換処理部５０による色変換処理を行わないようにする例を示した。この場合、表示輝度Ａよりも小さい表示輝度範囲では色変換処理を行わず、表示輝度Ａ以上の表示輝度範囲では色変換処理を行うこととなり、表示輝度Ａの前後における色変換処理の有無による画質変化が、人間が色変換処理による画質変化を許容する範囲を超えることとなる。実施形態２では、表示輝度Ａ以上の表示輝度範囲において、人間が色変換処理による画質変化を許容する範囲で段階的に色変換処理における画質変化の度合い、すなわち、実施形態１において説明した第１の色変換処理例における色相変化、第２の色変換処理例における彩度変化、及び輝度変化の度合いを示す色変換レベルを上げる例について説明する。
【００７９】
図２１は、実施形態２に係る表示装置における画像表示部の表示輝度と消費電力との関係、及び画像表示部の表示輝度と色変換レベルとの関係の一例を示す概略図である。なお、実施形態２に係る表示装置１００の構成は、実施形態１と同一であるので、ここでは説明を省略する。
【００８０】
図２１に示す例において、一点鎖線ａ’は、色変換レベルが０％、すなわち、色変換処理部５０は動作しているが、実質的に色変換処理が行われていない状態における画像表示部３０の消費電力と色変換処理部５０の消費電力とを加算した合計消費電力を示している。
【００８１】
図２１に示すように、実施形態２では、表示輝度Ａ以上であり、且つ、表示輝度Ａよりも大きい表示輝度Ｂ以下の輝度範囲を、色変換処理レベル制御範囲として設定している。
【００８２】
図２１に示す例では、表示輝度Ａよりも小さい表示輝度範囲では、実施形態１と同様に色変換処理は行われない。また、表示輝度Ｂよりも大きい表示輝度範囲では、色変換処理における色変換レベルを１００％としている。
【００８３】
一方、色変換処理レベル制御範囲では、色変換処理部５０は、表示輝度Ａから表示輝度Ｂに向けて、色変換処理における色変換レベルを０％から１００％まで徐々に上げるようにしている。
【００８４】
色変換処理レベル制御範囲を設定する例として、例えば、２つの輝度設定閾値（第１輝度設定閾値及び第２輝度設定閾値（後述））を色変換処置部５０に設定しておき、第１輝度設定閾値以上であり、且つ、第２輝度設定閾値以下である範囲を、色変換処理レベル制御範囲とすることが考えられる。第１輝度設定値は、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａに相当する。第２輝度設定閾値は、表示輝度Ａよりも大きい表示輝度Ｂに相当する。
【００８５】
色変換処理部５０は、表示装置１００に対して設定される輝度設定値と第１及び第２輝度設定閾値との比較を行い、輝度設定値が第１輝度設定閾値以上であり、且つ、第２輝度設定閾値以下である場合に、色変換処理レベル制御範囲内であると判定する。
【００８６】
この場合には、例えば、第１輝度設定閾値から第２輝度設定閾値までの範囲を複数の区間に分割し、各区間毎に、第１輝度設定閾値から第２輝度設定閾値まで段階的に色変換レベルが大きくなるようなルックアップテーブルを色変換処理部５０に設定すればよい。
【００８７】
このようにすれば、色変換処理部５０は、輝度設定値に応じた色変換レベルで色変換処理を実施することができる。
【００８８】
色変換処理部５０は、輝度設定値が第１輝度設定閾値以上であり、且つ、第２輝度設定閾値以下である場合に、輝度設定値に応じた色変換レベルをルックアップテーブルから読み出し、当該読みだした色変換レベルで色変換処理を実施する。
【００８９】
なお、上述した例では、ルックアップテーブルを用いて、このルックアップテーブルから輝度設定値に応じた色変換レベルを読み出す例を示したが、演算式を用いて輝度設定値に応じた色変換レベルを求めるようにしてもよいことは言うまでもない。
【００９０】
以上説明したように、実施形態２によれば、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａ以上の輝度範囲において、人間が色変換処理による画質変化を許容する範囲で段階的に色変換処理における色変換レベルを上げるようにする。具体的には、表示輝度Ａに相当する輝度設定閾値（第１輝度設定閾値）に加え、表示輝度Ａよりも大きい表示輝度Ｂに相当する輝度設定閾値（第２輝度設定閾値）を色変換処理部５０に設定しておき、第１輝度設定閾値から第２輝度設定閾値までの範囲を複数の区間に分割し、各区間毎に、第１輝度設定閾値から第２輝度設定閾値まで段階的に色変換レベルが大きくなるようなルックアップテーブルを色変換処理部５０に設定しておくことで、色変換処理部５０は、輝度設定値に応じた色変換レベルをルックアップテーブルから読み出し、輝度設定値に応じた色変換レベルで色変換処理を実施することができる。これにより、輝度設定値に応じて変化する色変換処理による画質変化を、人間が許容する範囲内とすることができる。
【００９１】
本実施形態により、画像表示部の消費電力を抑制するための色変換処理を行う構成において、低輝度状態においても消費電力を抑制できる表示装置、色変換方法を提供することができる。
【００９２】
（実施形態３）
実施形態２では、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａ以上であり、且つ表示輝度Ａよりも大きい表示輝度Ｂ以下の表示輝度範囲を、色変換処理レベル制御範囲として設定し、色変換処理レベル制御範囲内において、段階的に色変換レベルを上げていく例を示した。この場合、表示輝度Ａの前後で消費電力が不連続となり、表示輝度Ａ以上の区間で色変換処理を行わない場合よりも消費電力が大きくなる場合がある。実施形態３では、表示輝度Ａ以上の表示輝度範囲において、時分割で色変換処理を行う例について説明する。
【００９３】
図２２は、実施形態３に係る表示装置における画像表示部の表示輝度と消費電力との関係、及び画像表示部の表示輝度と色変換レベルとの関係の一例を示す概略図である。なお、実施形態３に係る表示装置１００の構成は、実施形態１と同一であるので、ここでは説明を省略する。
【００９４】
図２２に示すように、実施形態３では、表示輝度Ａ以上であり、且つ、表示輝度Ａよりも大きい表示輝度Ｂ以下の表示輝度範囲を、色変換処理時分割制御範囲として設定している。
【００９５】
図２２に示す例では、表示輝度Ａよりも小さい表示輝度範囲では、実施形態１，２と同様に色変換処理は行われない。また、表示輝度Ｂよりも大きい表示輝度範囲では、時分割せず連続して色変換処理を行う。
【００９６】
一方、色変換処理時分割制御範囲では、色変換処理部５０は、間欠的に、つまり時分割で色変換処理を行うようにしている。このとき、例えば、画像表示部３０に表示する画像に対し、フレーム単位で色変換処理を行う。すなわち、複数フレームのうち、いくつかのフレームでは色変換処理を行い、残るフレームでは色変換処理を行わない。
【００９７】
色変換処理時分割制御範囲を設定する例として、実施形態２と同様に、例えば、２つの輝度設定閾値（第１輝度設定閾値及び第２輝度設定閾値（後述））を色変換処理部５０に設定しておき、第１輝度設定閾値以上であり、且つ、第２輝度設定閾値以下である範囲を、色変換処理時分割制御範囲とすることが考えられる。なお、第１輝度設定値は、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａに相当する。第２輝度設定閾値は、表示輝度Ａよりも大きい表示輝度Ｂに相当する。
【００９８】
色変換処理部５０は、表示装置１００に対して設定される輝度設定値と第１及び第２輝度設定閾値との比較を行い、輝度設定値が第１輝度設定閾値以上であり、且つ、第２輝度設定閾値以下である場合に、色変換処理時分割制御範囲内であると判定する。
【００９９】
この場合には、例えば、第１輝度設定閾値から第２輝度設定閾値までの範囲を複数の区間に分割し、各区間毎に、色変換処理を実施するフレームの比率を定めておく。このとき、図２２に示すように、当該範囲の消費電力が、色変換処理を行わない場合の画像表示部３０における消費電力（一点鎖線ａ）を超えないように各区間毎のフレーム比率を定めたルックアップテーブルを色変換処理部５０に設定すればよい。
【０１００】
このようにすれば、色変換処理部５０は、輝度設定値に応じたフレーム比率で色変換処理を実施することができる。
【０１０１】
色変換処理部５０は、輝度設定値が第１輝度設定閾値以上であり、且つ、第２輝度設定閾値以下である場合に、輝度設定値に応じたフレーム比率をルックアップテーブルから読み出し、当該読みだしたフレーム比率で色変換処理を実施する。
【０１０２】
なお、上述した例では、ルックアップテーブルを用いて、このルックアップテーブルから輝度設定値に応じたフレーム比率を読み出す例を示したが、演算式を用いて輝度設定値に応じたフレーム比率を求めるようにしてもよいことは言うまでもない。
【０１０３】
また、各区間毎のフレーム比率を定めることに加え、複数フレームのうち、色変換処理を行うフレームと色変換処理を行わないフレームとを設定するようにしてもよい。この場合、フリッカーを抑制するために、色変換処理を行うフレームあるいは色変換処理を行わないフレームが出来るだけ不連続となるように設定するのが好ましい。
【０１０４】
さらに、画像表示部３０における水平ライン毎、あるいは画素毎に、色変換処理のタイミングをずらすことで、フリッカーを抑制することもできる。
【０１０５】
以上説明したように、実施形態３によれば、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａ以上の表示輝度範囲において、色変換処理を行わない場合の画像表示部３０における消費電力を超えないようにする。具体的には、表示輝度Ａに相当する輝度設定閾値（第１輝度設定閾値）に加え、表示輝度Ａよりも大きい表示輝度Ｂに相当する輝度設定閾値（第２輝度設定閾値）を色変換処理部５０に設定しておき、第１輝度設定閾値から第２輝度設定閾値までの範囲を複数の区間に分割し、各区間毎に、色変換処理を実施するフレームの比率を定めておく。このとき、色変換処理を行わない場合の画像表示部３０における消費電力を超えないように各区間毎のフレーム比率を定めたルックアップテーブルを色変換処理部５０に設定しておくことで、色変換処理部５０は、輝度設定値に応じたフレーム比率をルックアップテーブルから読み出し、輝度設定値に応じたフレーム比率で色変換処理を実施することができる。これにより、表示輝度Ａの前後で消費電力が不連続となることなく、画像表示部３０が表示可能な表示輝度範囲の全域において、消費電力を抑制することができる。
【０１０６】
また、複数フレームのうち、色変換処理を行うフレームあるいは色変換処理を行わないフレームが出来るだけ不連続となるように設定する、あるいは、画像表示部３０における水平ライン毎、あるいは画素毎に、色変換処理のタイミングをずらすことで、フリッカーの発生を抑制することができる。
【０１０７】
本実施形態により、画像表示部の消費電力を抑制するための色変換処理を行う構成において、低輝度状態においても消費電力を抑制できる表示装置、色変換方法を提供することができる。
【０１０８】
＜適用例＞
次に、図２３乃至図３１を参照して、実施形態１、２及び３で説明した表示装置１００の適用例について説明する。以下、実施形態１、２及び３を本実施形態として説明する。図２３乃至図３１は、本実施形態に係る表示装置を適用する電子機器の一例を示す図である。本実施形態に係る表示装置１００は、携帯電話、スマートフォン等の携帯端末装置、テレビジョン装置、デジタルカメラ、ノート型パーソナルコンピュータ、ビデオカメラ、或いは、車両に設けられるメータ類などのあらゆる分野の電子機器に適用することが可能である。言い換えると、本実施形態に係る表示装置１００は、外部から入力された映像信号或いは内部で生成した映像信号を、画像或いは映像として表示するあらゆる分野の電子機器に適用することが可能である。電子機器は、表示装置１００に映像信号を供給し、表示装置１００の動作を制御する制御装置を備える。
【０１０９】
（適用例１）
図２３に示す電子機器は、本実施形態に係る表示装置１００が適用されるテレビジョン装置である。このテレビジョン装置は、例えば、フロントパネル５１１及びフィルターガラス５１２を含む映像表示画面部５１０を有しており、この映像表示画面部５１０は、本実施形態に係る表示装置１００である。
【０１１０】
（適用例２）
図２４及び図２５に示す電子機器は、本実施形態に係る表示装置１００が適用されるデジタルカメラである。このデジタルカメラは、例えば、フラッシュ用の発光部５２１、表示部５２２、メニュースイッチ５２３及びシャッターボタン５２４を有しており、その表示部５２２は、本実施形態に係る表示装置１００である。図２４に示すように、このデジタルカメラは、レンズカバー５２５を有しており、レンズカバー５２５をスライドさせることで撮影レンズが現れる。デジタルカメラは、その撮影レンズから入射する光を撮像することで、デジタル写真を撮影することができる。
【０１１１】
（適用例３）
図２６に示す電子機器は、本実施形態に係る表示装置１００が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態に係る表示装置１００である。
【０１１２】
（適用例４）
図２７に示す電子機器は、本実施形態に係る表示装置１００が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態に係る表示装置１００である。
【０１１３】
（適用例５）
図２８及び図２９に示す電子機器は、表示装置１００が適用される携帯電話機である。図２８は携帯電話機を開いた状態での正面図である。図２９は携帯電話機を折りたたんだ状態での正面図である。当該携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。当該ディスプレイ５５４は、表示装置１００が取り付けられている。このため、当該携帯電話機のディスプレイ５５４は、画像を表示する機能の他に、タッチ動作を検出する機能を有していてもよい。
【０１１４】
（適用例６）
図３０に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態に係る表示装置１００である。
【０１１５】
（適用例７）
図３１は、本実施形態に係るメータユニットの概略構成図である。図３１に示す電子機器は、車両に搭載されるメータユニットである。図３１に示すメータユニット（電子機器）５７０は、燃料計、水温計、スピードメータ、タコメータ等、複数の上述した本実施形態に係る表示装置１００を表示装置５７１として備えている。そして、複数の表示装置５７１は、ともに、一枚の外装パネル５７２に覆われている。
【０１１６】
図３１に示す表示装置５７１のそれぞれは、表示手段としてのパネル５７３及びアナログ表示手段としてのムーブメント機構を互いに組み合わせた構成となっている。当該ムーブメント機構は、駆動手段としてのモータと、モータにより回転される指針５７４とを有している。そして、図３１に示すように、表示装置５７１では、パネル５７３の表示面に目盛表示、警告表示等を表示することができるとともに、ムーブメント機構の指針５７４がパネル５７３の表示面側において回転することが可能となっている。
【０１１７】
なお、図３１では、一枚の外装パネル５７２に複数の表示装置５７１を設けた構成としたが、これに限定されない。外装パネル５７２によって囲まれた領域に１つの表示装置５７１を設け、当該表示装置に燃料計、水温計、スピードメータ、タコメータ等を表示させてもよい。
【０１１８】
なお、上述した内容により本開示が限定されるものではない。また、上述した本開示の構成要素には、当業者が容易に想定できるもの、実質的に同一のもの、いわゆる均等の範囲のものが含まれる。さらに、上述した構成要素は適宜組み合わせることが可能である。また、本開示の要旨を逸脱しない範囲で構成要素の種々の省略、置換及び変更を行うことができる。
【０１１９】
本発明は、下記に関するものである。
【０１２０】
（１）複数の副画素を含む画素がマトリクス状に配置された画像表示部と、
前記画像表示部の消費電力を低減するための色変換処理を行う色変換処理部と、
を含み、
前記色変換処理部は、前記色変換処理を行った場合における前記画像表示部の消費電力と前記色変換処理部の消費電力との合計消費電力が、前記色変換処理を行わない場合における前記画像表示部の消費電力を上回る場合には、前記色変換処理を行わない、表示装置、に関する。
【０１２１】
（２）前記色変換処理は、前記画像表示部が表示する画像の表示輝度の上昇と共に、前記画像表示部の消費電力の低減量が増加する処理であり、
前記色変換処理部は、前記画像表示部の表示輝度範囲の全域において前記色変換処理を実施した場合における前記画像表示部の消費電力と前記色変換処理部の消費電力との合計消費電力と、前記色変換処理を行わない場合における前記画像表示部の消費電力とが交わる表示輝度に相当する第１輝度設定閾値が設定され、前記第１輝度設定閾値よりも小さい範囲を、前記色変換処理を行わない第１輝度設定範囲とし、所定の輝度設定値が前記第１輝度設定範囲内である場合に、前記色変換処理を行わない、（１）に記載の表示装置、である。
【０１２２】
（３）前記色変換処理部は、前記第１輝度設定閾値よりも大きい第２輝度設定閾値が設定され、前記第１輝度設定閾値以上であり、且つ、前記第２輝度設定閾値以下である範囲を第２輝度設定範囲とし、前記輝度設定値が前記第２輝度設定範囲内である場合に、前記輝度設定値に応じて、前記色変換処理による画質変化の度合いを示す色変換レベルを変更する、（２）に記載の表示装置、である。
【０１２３】
（４）前記色変換処理部は、前記第２輝度設定範囲内において、前記輝度設定値の上昇に応じて前記色変換レベルを上昇させる、（３）に記載の表示装置、である。
【０１２４】
（５）前記色変換処理部は、前記第１輝度設定閾値よりも大きい第２輝度設定閾値が設定され、前記第１輝度設定閾値以上であり、且つ、前記第２輝度設定閾値以下である範囲を第２輝度設定範囲とし、前記輝度設定値が前記第２輝度設定範囲内である場合に、前記輝度設定値に応じて、前記色変換処理による画質変化を許容する範囲で、時分割で前記色変換処理を行う、（２）に記載の表示装置、である。
【０１２５】
（６）前記色変換処理部は、前記第２輝度設定範囲内において、時分割で前記色変換処理を行う際に、フレーム単位で前記色変換処理を行う、（５）に記載の表示装置、である。
【０１２６】
（７）前記色変換処理部は、前記第２輝度設定範囲内において、前記画像表示部の消費電力と前記色変換処理部の消費電力との合計消費電力が、前記色変換処理を行わない場合における前記画像表示部の消費電力を超えないようなフレーム比率で、前記色変換処理を行う、（６）に記載の表示装置、である。
【０１２７】
（８）前記色変換処理部は、前記第２輝度設定範囲内において、前記画像表示部における水平ライン毎、あるいは前記画素毎に、前記色変換処理のタイミングをずらす、（６）又は（７）に記載の表示装置、である。
【０１２８】
（９）（１）乃至（８）のいずれかに記載の表示装置と、映像信号を供給し、前記表示装置の動作を制御する制御装置と、を備える電子機器、である。
【０１２９】
（１０）複数の副画素を含む画素がマトリクス状に配置された画像表示部の駆動回路へ供給する入力信号の色変換方法であって、
前記画像表示部の消費電力を低減するための色変換処理を行った場合における前記画像表示部の消費電力と前記色変換処理による消費電力との合計消費電力が、前記色変換処理を行わない場合における前記画像表示部の消費電力を上回る場合には、前記色変換処理を行わない、色変換方法、に関する。
【符号の説明】
【０１３０】
１０  変換処理部
２０  第４副画素信号処理部
３０  画像表示部（画像表示パネル）
３１  画素
３２  副画素
３２Ｒ  第１副画素
３２Ｇ  第２副画素
３２Ｂ  第３副画素
３２Ｗ  第４副画素
４０  画像表示パネル駆動回路
４１  信号出力回路
４２  走査回路
４３  電源回路
５０  色変換処理部
１００  表示装置
【図１】
0006504798.tif 000002
【図２】
0006504798.tif 000003
【図３】
0006504798.tif 000004
【図４】
0006504798.tif 000005
【図５】
0006504798.tif 000006
【図６】
0006504798.tif 000007
【図７】
0006504798.tif 000008
【図８】
0006504798.tif 000009
【図９】
0006504798.tif 000010
【図１０】
0006504798.tif 000011
【図１１】
0006504798.tif 000012
【図１２】
0006504798.tif 000013
【図１３】
0006504798.tif 000014
【図１４】
0006504798.tif 000015
【図１５】
0006504798.tif 000016
【図１６】
0006504798.tif 000017
【図１７】
0006504798.tif 000018
【図１８】
0006504798.tif 000019
【図１９】
0006504798.tif 000020
【図２０】
0006504798.tif 000021
【図２１】
0006504798.tif 000022
【図２２】
0006504798.tif 000023
【図２３】
0006504798.tif 000024
【図２４】
0006504798.tif 000025
【図２５】
0006504798.tif 000026
【図２６】
0006504798.tif 000027
【図２７】
0006504798.tif 000028
【図２８】
0006504798.tif 000029
【図２９】
0006504798.tif 000030
【図３０】
0006504798.tif 000031
【図３１】
0006504798.tif 000032